(57)【要約】      （修正有）【課題】さらに効果的に遠赤外線による効果をもたらすことができる遠赤外線放射体を提供する。【解決手段】人体の形状に沿うことができる形状の面を有する。すなわち、人体の立体的形状が有する曲線に合わせた形状を持つ遠赤外線放射体としたものである。これによって、これまでのプレート状の遠赤外線放射体よりも人体との接触面積を増すことができ、放出された遠赤外線をより効果的に人体に作用させることができるものである。【選択図】図２
2013138843.tif 000002
【特許請求の範囲】
【請求項１】
人体の形状に沿うことができる形状の面を有することを特徴とする遠赤外線放射体。
【請求項２】
陶器製である請求項１記載の遠赤外線放射体。
【請求項３】
人体の一部の立体的形状に沿ったカーブ形状を有する板状の請求項１又は２記載の遠赤外線放射体。
【請求項４】
足又は腕の外部形状に沿った筒形状を有する請求項１又は２記載の遠赤外線放射体。
【請求項５】
２以上の部分を組み合わせて所望の形状とする請求項１、２，３又は４記載の遠赤外線放射体。
【請求項６】
短径及び長径が１〜１５０ｍｍである平滑な板状物である請求項１又は２記載の遠赤外線放射体。
【請求項７】
板状物上に人体の立体的形状に合わせた凹部を形成したものである請求項１又は２記載の遠赤外線放射体。
【請求項８】
少なくとも１の突起部を有する陶器製の遠赤外線放射体。
【請求項９】
人体の形状に沿うことができる形状の面を有する請求項８記載の遠赤外線放射体。
【発明の詳細な説明】
【技術分野】
【０００１】
本発明は、遠赤外線放射体に関する。
【背景技術】
【０００２】
近年、加熱した岩盤の上に横たわって発汗を促す岩盤浴の利用が拡がっている。このような岩盤浴は、岩盤を通じて体を温めることから、着衣状態のままで施与することができ、部屋全体の温度や湿度が高くなるわけでないことから、簡便に行うことができるという利点を有し、広く一般的に行われている。
【０００３】
この岩盤浴に用いるユニットとしては、例えば、ケース体に取り付けられた棚板と、棚板の上面に配設された板状ヒータと、この板状ヒータの上面に配設された石板とを備え、板状ヒータによって石板が加熱されるように構成されたものが知られている（例えば、特許文献１参照）。
【０００４】
しかしながら、上述した岩盤浴用の石板では平らな石板を使用するものであることから、体と石板との接触部分についてのみ、局所的に遠赤外線による効果が得られるものとなり、均一な遠赤外線効果を得ることはできない。このため、体の血行を良くする効果をより改善するためには、体と遠赤外線放射体との接触面積をより大きくすることが望まれる。
【０００５】
特許文献２には、陶器を遠赤外線放射体とする方法が開示されている。しかし、このような遠赤外線放射体も、プレート状であるために人体との接触面が限られており、遠赤外線効果を最大限に得ることはできなかった。
【０００６】
更に、全身ではなく局所的に遠赤外線効果を施与することも考えられる。例えば、足湯等のように、脚部や腕部のみを温めることも試みられている。マッサージを施す際に、脚部や腕部のみを温めて全身の血行を良くして、マッサージ効果をより高めることも考えられる。しかし、従来の石板からなる遠赤外線放射体ではこのような局所的への施与に使用することはできない。更に、遠赤外線放射体によって、このような局所的な遠赤外線の放射を行うことは検討されていない。
【先行技術文献】
【特許文献】
【０００７】
【特許文献１】特開２００７−６９６７号公報
【特許文献２】特開２００９−６２２４２号公報
【発明の概要】
【発明が解決しようとする課題】
【０００８】
本発明は上記に鑑み、さらに効果的に遠赤外線による効果をもたらすことができる遠赤外線放射体を提供することを目的とするものである。
【課題を解決するための手段】
【０００９】
本発明は、人体の形状に沿うことができる形状の面を有することを特徴とする遠赤外線放射体である。
上記遠赤外線放射体は、陶器製であることが好ましい。
上記遠赤外線放射体は、板状物上に人体の形に合わせた凹部を形成したものであってもよい。
上記遠赤外線放射体は、人体の形状に沿ったカーブ形状を有する板状の形状であってもよい。
上記遠赤外線放射体は、足又は腕の外部形状に沿った筒形状を有するものであってもよい。
上記遠赤外線放射体は、短径及び長径が１〜１５０ｍｍである平滑な板状物であってもよい。
上記遠赤外線放射体は、２以上の部分を組み合わせて所望の形状とするものであってもよい。
【発明の効果】
【００１０】
本発明は、人体との接触面を増やしたことで効果的に遠赤外線効果を得ることができる遠赤外線放射体を提供できるものである。
【図面の簡単な説明】
【００１１】
【図１】本発明の遠赤外線放射体の一例を示した模式図である。
【図２】本発明の遠赤外線放射体の一例を示した模式図である。
【図３】本発明の遠赤外線放射体の一例を示した模式図である。
【図４】本発明の遠赤外線放射体の一例を示した模式図である。
【図５】本発明の遠赤外線放射体の一例を示した模式図である。
【図６】本発明の遠赤外線放射体の一例を示した模式図である。
【図７】本発明の遠赤外線放射体の一例を示した模式図である。
【図８】本発明の遠赤外線放射体の一例を示した模式図である。
【図９】本発明の遠赤外線放射体の使用状態の一例を示した模式図である。
【発明を実施するための形態】
【００１２】
以下に、本発明を詳細に説明する。
本発明の遠赤外線放射体は、人体の形状に沿うことができる形状の面を有することを特徴とするものである。すなわち、人体の立体的形状が有する曲線に合わせた形状を持つ遠赤外線放射体としたものである。これによって、これまでのプレート状の遠赤外線放射体よりも人体との接触面積を増すことができ、放出された遠赤外線をより効果的に人体に作用させることができるものである。
【００１３】
本発明における人体に沿うことができる形状とは、必ずしも厳密な意味で人体の形状である必要はなく、人体の形状に似たゆるやかなカーブを遠赤外線放射体の表面に形成し、平滑面よりもより人体表面と遠赤外線放射体とが接触しやすくなるような形状であれば十分である。
【００１４】
このような人体の形状に沿うことができる形状を形成した遠赤外線放射体としては、大きく２つの種類が考えられる。
【００１５】
第１の態様は、人体の立体的形状に沿ったカーブを有する薄い板状や筒状の形状を挙げることができる。このような形状としては図１、２及び３等に示したような形状を挙げることができる。このような形状としても、人体の所定の部分に接触させることで、広い表面積で接触させることができる。また、板状のものとしては、人体の頭部、胸部、腹部等の形状に合わせたカーブを設けた板状の形状等を挙げることができる。
【００１６】
図１に示したような筒状に成形した放出体を、足や腕に装着した場合、人体との接触面積が増加するだけでなく、放出された遠赤外線が筒内部で反射して非接触部にも遠赤外線効果をもたらすことができる。
【００１７】
更に、図２及び３に示したように、複数の遠赤外線放射体を使用して、足、腕、胴体部、腹部等を挟み込むように使用してもよい。挟み込む対象に応じて、丸みを帯びたものであっても、直線状になるものであってもよく、径の大きさも任意に設定することができる。このようにすることで、脚、腕、腹部等のように、単一の遠赤外線放射体では充分に人体と接触させる形状を得ることが困難な場合にも対応することができる。
【００１８】
更に、図４に示したように、頭部全体を包むようなヘルメット状の形状のものとしてもよい。このような形状とすることで、頭全体に遠赤外線の放射を行うことができる。
【００１９】
また、このような形状としては、短径及び長径が１〜１５０ｍｍであるような、長方形、正方形、円形、楕円形等の各種形状を有する平滑な板状物であってもよい。このような比較的小さなサイズのものは、肩、腰、背中、足の裏等の体の平滑な部分に沿った形状となるものである。
【００２０】
このような形状にすることにより、例えば、狭い患部のみに接触させることができ、人体のツボを重点的に加熱することで、体調を維持することができる。また、これらを複数個、図８に示したようにタオル等の布にこのような小さい遠赤外線放射体を装着し、タオル状とすることもできる。タオル状の遠赤外線放射体を巻くことで、膝や肘などの密着させることが困難な間接部位にも良好に遠赤外線効果を得ることができる。
【００２１】
本発明の遠赤外線放射体は、その素材を特に限定されるものではないが、陶器製であることが特に好ましい。陶器製のものは、容易に任意の形状に成形することができ、熱・水・蒸気等に対する耐久性も優れているから、長期間にわたって劣化を生じることなく使用できる点で特に好ましい。さらに、陶器を使用したものは人体と接触して体温で加温された際に保温効果を発揮し、遠赤外線効果が持続するという利点もある。陶器としては、陶土を所定の形状に成型して焼成して得られる通常のものを使用することができる。
【００２２】
本発明において、上記陶土にカーボン等を配合することが好ましい。上記カーボン等を配合することにより、より効果的に遠赤外線を放射することができる。
【００２３】
第２の形態は、板状の遠赤外線放射体の少なくとも１の面上に人体の立体的形状に合わせた凹部を形成した形状である。このような形状を図５、６及び７に示した。図５、６及び７のように凹部を設けた場合、平滑なプレート状よりも人体との接触面積を増加させることができる。
【００２４】
第２の態様においては、図５のように全身が収まるような凹部を形成したものであってもよいし、図６及び７のように体の一部分のみが収まるような凹部を形成したものであってもよい。例えば、図６は、足が収まるような凹部を形成したものあり、図７は、頭部が収まるような凹部を形成したものであり、枕として使用することができるものである。また、あまり厳密に人体に近い形とするよりも、全体を緩やかなカーブによって形成して、おおよそ人体の形状に近くすることによって、リラックスした体勢で体を凹部に収めることができ、ある程度自由に体を動かすことができる形状であることが好ましい。
【００２５】
また、第２の態様の遠赤外線放射体を使用する場合には、形成した凹部の上にクッション材を敷いて使用してもよい。すなわち、遠赤外線放射体は陶器製等の硬い素材からなるものを使用することが多いため、使用感を改善するために、布、樹脂シート、樹脂発泡体等からなるクッション材を凹部上に敷いて使用してもよい。
【００２６】
本発明の遠赤外線放射体は、枕として使用できる形とすることもできる。すなわち、頭部に密着しやすい形に成形し、枕として適度な大きさを有するものとすることができる。この場合、上述した第１の態様のように頭の形状に合わせた薄板状の遠赤外線放射体を成形し、必要に応じて基体部分を下部に設けて、枕として使用できる形状とする方法、第２の態様において、頭部に合わせた凹部を形成した板状物とする方法等が挙げられる。
【００２７】
枕として使用する場合は、硬い素材からなる遠赤外線放射体の場合は頭部に痛みを感じて眠りにくいと感じる場合もあるので、表面にクッション材を貼付したものであってもよい。
【００２８】
本発明の遠赤外線放射体は、使用する個人の体型に合わせた形状とすることができる点でも好ましい。すなわち、オーダーメードによって、使用者の体型に最も適した凹部やカーブ形状とすることによって、より一層、使用者にとって好適な形で遠赤外線放射を行うことができる。また、種々のサイズのものを準備して、使用者の体型に合わせて選択して使用することもできる。
【００２９】
本発明の遠赤外線放射体の製造方法は特に限定されず、陶土を練り、成形し、焼成する通常の方法によって得ることができる。
【００３０】
本発明の遠赤外線放射体は、さらに、釉薬を塗布したものであってもよい。釉薬を塗布することで、表面のざらつき感を抑えることができ、肌触りを向上させることができるため好ましい。上記釉薬としては特に限定されず、遠赤外線効果を有する公知の釉薬を使用することができる。上記釉薬としては、例えば、市販の釉薬に日東産業社製ＮＣサンド（商品名）を添加した釉薬等をあげることができる。なお、上記釉薬は、少なくとも人体との接触面に塗布することが好ましい。上記釉薬を塗布する場合、釉薬を塗布した後に二次焼成を行うことが好ましい。
【００３１】
本発明の遠赤外線放射体は、加熱した上で人体に接触させて使用するものである。加熱の方法としては特に限定されず、使用時に３７〜４５℃程度に加温された状態を維持できる方法であればよい。
【００３２】
具体的には、遠赤外線放射体を温水に浸して加温する方法、遠赤外線放射体に加熱手段を備える方法等を挙げることができる。上記加熱手段としては特に限定されず、電熱ヒーター等公知の加熱手段を使用することができる。
【００３３】
また、携帯カイロのように、保温体を付属させて長時間加温された状態を保つことも考えられる。このような方法により遠赤外線を長時間にわたって放射することが可能になる。例えば、図８に示したタオル状の遠赤外線放射体に保温体をくるみ、かつ腰や首に巻くことで就寝中など継続的に遠赤外線放射を得ることができる。上記保温体としては特に限定されず、ウレタンフォーム、樹脂ビーズ、布帛等をあげることができる。また、このような使用方法とすることで、携帯カイロを直接皮膚にあてるよりも、皮膚にマイルドな加温とすることができ、広い範囲を均一に温めることもできる。
【００３４】
更に、特段の加温手段を設けないものであっても、皮膚と接触させると、体温からの輻射熱や電導熱によって遠赤外線放射体は温度が上昇し、上述したような３７〜４５℃とすることができる。この場合、体温によって温度が高くなり、このように加熱された遠赤外線放射体からの遠赤外線の放射を継続的に行うことができる。
【００３５】
遠赤外線放射体が上述した短径及び長径が１〜１５０ｍｍである平滑な板状物である場合は、樹脂シート、織編物、不織布等のシート状物に複数個の遠赤外線放射体を取り付けて使用することもできる。このような使用を行うと、シート状物によって体に巻きつけることで、体の形状に合わせることが容易となり、用途に応じて大きさや形状を調整することも容易である点で好ましい。
【００３６】
このようにして使用する場合は、上記遠赤外線放射体を上記シート状物上に接着剤による接着、シート上に設けたポケットへの収納、糸による縫い付け等の方法で、上記布状物に取り付けることができる。
【００３７】
図９に本発明の遠赤外線の実施態様の一つを示した。図９のように、体の遠赤外線を施与する部位を本発明の遠赤外線放射体で覆うことによって、体の血行を良くし、健康法として簡便に適用することができる。
【００３８】
本発明の遠赤外線放射体は、少なくとも１の突起部を有する陶器製の遠赤外線放射体でもある。このような突起部を有することにより、上述の遠赤外線効果とつぼ押しの効果を同時に得ることができるものである。突起部の形状、突起部の数も特に限定されず、目的に応じて適宜変更することができる。
【００３９】
上記突起部を有する遠赤外線放射体としては特に限定されず、長方形、正方形、円形、楕円形等の各種形状を有する平滑な板状物に突起部を形成したもの、人体の形状に沿うことができる形状の面に突起部を形成したもの等を挙げることができる。
【００４０】
上述のような比較的小さな板状物である場合、例えば、狭い患部のみに接触させることができ、人体のツボを重点的に加熱し、かつ、突起部でつぼ押しの効果も効率的に得ることができる。また、図８に示したようにタオル等の布にこのような小さい遠赤外線放射体を装着し、タオル状とすることもできる。
【００４１】
さらに、人体の形状に沿うことができる形状の面に突起部を形成したものであってもよい。例えば、図１〜７に示したような人体の形状に沿ったカーブ形状を有する遠赤外線放射体に突起部を形成したもの等を挙げることができる。このような形状とすることで、広範囲の患部をカバーすることができる。
上記突起部は、陶器製である。上記陶器としては、上述したように、陶土を所定の形状に成型して焼成して得られる通常のものを使用することができる。
【００４２】
本発明の遠赤外線放射体は、岩盤浴等、身体を温めることによる健康法に好適に利用することができるものである。また、家庭でも簡便に使用することができるものである。
【実施例】
【００４３】
以下、本発明を実施例によって説明するが、本発明は以下の実施例に限定されるものではない。
【００４４】
（実施例１）
陶土を用いて図２に示した形状の筒状の遠赤外線放射体を製造した。これは、２つの部品からなり、これらを端部で組み合わせて、接合部品を使用することで筒状の形状として人体の腕部を包み込むことができるものである。なお、製造に際しては釉薬を塗布した後に二次焼成を行った。得られた遠赤外線放射体を加熱し、被験者の腕に装着することによって、試験を行った。被験者は、
「腕部があたたかくなり、それに伴って全身の血流がよくなった。施与後は、腕のこりがほぐれたように感じる」
との感想を述べた。
【００４５】
（実施例２）
陶土を用いて図５に示した形状の陶板を製造した。製造に際しては、釉薬を塗布した後に二次焼成を行った。得られた陶板を加熱し、その上に被験者が横たわることによって、試験を行った。被験者は、
「通常の岩盤浴に比べると、体全体が包み込まれるように加熱されたので効果が高かった」
との感想を述べた。
【００４６】
（実施例３）
陶土を用いて５ｃｍ×５ｃｍの正方形の平滑板状の陶板を製造した。このようにして製造した陶板をタオルの表面に１０個の布製ポケットを設けたものの、すべてのポケット内に収納した。更に、ポケット中には体と接触する面の反対側に市販の使い捨てカイロを収納した。これを被験者の腰部に巻きつけて試験を行った。被験者は、
「腰の曲面に沿うように陶板が密着するので腰全体があたたかくなり、腰の痛みがほぐれたように感じる。また、使い捨てカイロを直接肌に接触させるよりも、マイルドかつ均一に暖かくなるように感じた」
との感想を述べた。
【産業上の利用可能性】
【００４７】
本発明の遠赤外線放射体は、岩盤浴その他、遠赤外線によって体を温める健康法において、業務用でも家庭用でも好適に使用することができる。
【図３】
2013138843.tif 000003
【図４】
2013138843.tif 000004
【図１】
2013138843.tif 000005
【図２】
2013138843.tif 000006
【図５】
2013138843.tif 000007
【図６】
2013138843.tif 000008
【図７】
2013138843.tif 000009
【図８】
2013138843.tif 000010
【図９】
2013138843.tif 000011